(57)【要約】【課題】ギア同士の咬合回転によってカムをマイクロスイッチに接触させるのではなく、ウオームギアとネジ棒相互の動きによって水平移動する移動ナットがマイクロスイッチをオンオフするカーテン停止装置を提供すること。【解決手段】ウオームギヤ２に咬合したウオームホイール３の回転に連動するネジ棒４を回転させることにより、ウオームホイールの左右に配置した回り止め機能を有する移動ナット１１が水平移動してスイッチ板１４をマイクロスイッチ２０に接触させてカーテンの開・閉停止位置を設定する。【選択図】図２
2016214223.tif 000002
【特許請求の範囲】
【請求項１】
ウオームギヤに咬合したウオームホイールの回転に連動してネジ棒が回転すると、ウオームホイールの左右に配置された回り止め機能を有する移動ナットのスイッチ板がマイクロスイッチに接触してカーテン開閉を所定位置に停止する温室カーテン用停止装置。
【請求項２】
前記移動ナットはナット主体と、底面がフラット状でケーシング底部に接しネジ棒に沿って水平移動するが回転はしないスイッチ板を備えてなる請求項１記載の温室カーテン用停止装置。
【請求項３】
前記スイッチ板は押板及びＥリングを備え、上部にナット主体に固定するための押しネジを備えていることを特徴とする請求項１又は２記載の温室カーテン用停止装置。
【請求項４】
マイクロスイッチが開・閉側双方に２個づつ取り付けられたものであることを特徴とする請求項１〜３のいずれかに記載の温室カーテン用停止装置。
【請求項５】
左右のマイクロスイッチ近傍に設けた発光色の異なるＬＥＤライトが、マイクロスイッチがオンされたときに消灯し、スイッチオフした時に点灯するものであることを特徴とする請求項１〜４のいずれかに記載の温室カーテン用停止装置。
【発明の詳細な説明】
【技術分野】
【０００１】  本発明は、カーテンを所定の開閉位置で停止する温室カーテン用停止装置に関する。
【背景技術】
【０００２】  温室の採光・温度調整等をすることは植物育成にとって極めて重要であり、そのための温室躯体に掛装するビニールカーテンの開閉操作手段であって、モーターに連動する駆動軸を起点とする開閉制御装置の作動機能を有効に働くようにするために従来種々の技術が提案されている。一般的なものとして駆動軸の回転を減速機構を介して第一の回動軸に伝達し、この回転軸の動きを次の減速機構を介して第二の回転軸に及ぼしてオンオフスイッチによるカーテンの動きを所定の開閉位置にて制御するというものであり、回転軸のスイッチによりカーテンを所定位置に停止する構成のものにあってはスイッチに凹状カムを使用し、該凹状カムに係合して作動するマイクロスイッチを設けたことによってカーテンを所定位置に停止することができるとするものが知られている。【０００３】  しかして上記の技術にあっては回転軸の動きがギアの咬合手段によってなされ、第一の回転軸と第二の回転軸が減速されてカム部材の働きでマイクロスイッチのオンオフ操作が行われるものであり、減速比を大きくとるとカーテンを所定位置に停止することができなくなるという問題がある。例えば駆動軸が３６０°回転して第一の回転軸が３０回転し、第二の回転軸が３６０°回転するような場合において第二の回転軸に１°の誤差がおきると第一の回転軸には３０°の誤差が生じて駆動軸は１回転の誤差となり、駆動軸の１回転によりカーテン駆動ワイヤーが２０ｃｍ移動すると仮定した場合カーテンの開閉位置は２０ｃｍの誤差が生じてカーテンが所定位置にて停止しない、つまりギヤ素因数の齟齬がカーテン開閉操作のマイナス因子となっているためである。【０００４】  そこで第二の回転軸に凸状カム部を設け、該凸状カム部がマイクロスイッチのばね弾力に抗して回転してマイクロスイッチを作動するようにして減速機構に存在するガタ等を吸収することなく取り付けてもカーテンを任意に設定した開・閉位置に停止できるとする技術もある（例えば特許文献１参照）。
【先行技術文献】
【特許文献】
【０００５】
【特許文献１】特開２００２−１０１７６８号の図３、図４
【発明の概要】
【発明が解決しようとする課題】
【０００６】  ところで上記した従来技術はいずれも装置函内の減速機構がギアの組み合わせで構成され、それらによって第一の回転軸と第二の回転軸を連動させる結果回転カムがマイクロスイッチに作用するという手法をとっている。このため複数のギヤを函内に組み込むことを前提として装置を構成しなければならないため構造が複雑となって製作手数がかかりコスト高になるのと、大小のギアの咬合個所の回転伝達をスムーズにするために腐心する必要があり一旦ギヤの回転に齟齬を生じるとカーテン開閉停止位置が所期する設定とは異なる不具合をもたらす恐れがあった。【０００７】  本発明は従来技術のように減速機構がギア同士による回転伝達をするものではなく、それゆえギア連動に起因する摩擦力の不具合発生もなく、確実に開閉停止位置を確保してカーテンによる通風・採光・温度調整を温室の栽培対象に及ぼすことができる停止装置を提供することを課題とする。
【課題を解決するための手段】
【０００８】  上記課題を解決するための本発明は、ウオームギヤに咬合したウオームホイールの回転に連動してネジ棒が回転すると、ウオームホイールの左右に配置された回り止め機能を有する移動ナットのスイッチ板がマイクロスイッチに接触してカーテン開閉を所定位置に停止する温室カーテン用停止装置を主旨とする。【０００９】  前記移動ナットはナット主体と、底面がフラット状でケーシング底部に接しネジ棒に沿って水平移動するが回転はしないスイッチ板を備えてなることを特徴としている。【００１０】  前記スイッチ板は押板及びＥリングを備え、上部にナット主体に固定するための押しネジを備えていることを特徴とする。【００１１】  マイクロスイッチが開・閉側双方に２個づつ取り付けられたものであることを特徴としている。【００１２】  左右のマイクロスイッチ近傍に設けた発光色の異なるＬＥＤライトが、マイクロスイッチがオンされたときに消灯し、スイッチオフした時に点灯するものであることを特徴としている。
【発明の効果】
【００１３】  減速機構がウオームギヤとウオームホイールの咬合とはいえ、ウオームホイールにはネジ棒が連動する構成としてあるため、ギアとギアの組み合わせをメインとする従来技術とは全く異なる動きを基本として減速機構が成り立っている。すなわちカーテン開閉のためにはギアと同軸上のカム円板が回動してマイクロスイッチが作動するという手法をとらず、ネジ棒上を水平移動する移動ナットのスイッチ板がマイクロスイッチに当接するという頗る単純にして確実な構成としたものであり、これによりカーテン開閉における所定の停止位置が確保される。【００１４】  装置本体の内部には、ウオームホイールと一体のネジ棒に移動ナットを搭載し、マイクロスイッチを設けたというシンプルな構成にも関わらず上記したように十分な開閉停止機能を発揮でき、それゆえ製作が容易で経費を節して安価に得られるとともに、数種類のギア同士による組み合わせではないため潤滑剤の枯渇等による作動不具合の発生も抑止できて長く正常な動きが所期される。【００１５】  マイクロスイッチを開・閉側双方に２個づつ設けると、１つのマイクロスイッチが何らかの理由で作動に不具合が生じても他のマイクロスイッチが機能するためカーテンの開閉に支障を生じるおそれはない。【００１６】  ＬＥＤライトはマイクロスイッチがオンされると消灯し、オフされると点灯するものであるから、モーターの動きが止まってスイッチオンされた状態と、オフされた状態の識別が容易となる。
【図面の簡単な説明】
【００１７】
【図１】本発明を取り付ける温室の一例を示す説明図である。
【図２】本発明要部の概略俯瞰図である。
【図３】ケーシングを切断した要部の側面図である。
【図４】主要構成部材の部品図である。
【図５】移動ナットの断面図である；
【図６】２個のマイクロスイッチを示す説明図である。
【図７】マイクロスイッチ近傍に設けたＬＥＤライトを示す説明図である。
【発明を実施するための形態】
【００１８】  本発明の停止装置は図１に示すような一般的な温室３０に実施されるもので、温室躯体の片側壁面に沿って設けられた駆動ドラム３１の回転に連動する。すなわちカーテン３２の開閉ワイヤー３３は、駆動ドラム３１と他側壁面の滑車３４との間に、中継滑車３５と中間滑車３６を介して無端環状に巻装され、駆動ドラム３１が矢指Ｃ方向に回転するとワイヤー３３は矢指Ａ方向に、ワイヤー３３の他方は逆の矢指Ｂ方向に移動する。また駆動ドラム３１が反矢指Ｃ方向に回転すると、ワイヤー３３は反矢指Ａ方向に、ワイヤー３３の他方は逆の反矢指Ｂ方向に移動することは勿論であって、このカーテン開閉の動きに応じて本発明のカーテン開閉停止位置が設定される。
【００１９】  しかして図２及び図３は本発明の要部を示し、１はケーシングでモーターが駆動すると回転するウオームギア２が取り付けられ、該ウオームギア２にはウオームホイール３が咬合している。このウオームホイール３は、両側をケーシングサイドに軸架してあるネジ棒４に仲介材５を挟んで固定されており、したがってウオームホイール３とネジ棒４は連動するのでウオームギア２からウオームホイール３に伝わった回転力によりネジ棒４が正逆回転する。
【００２０】  ウオームホイール３の前記仲介材５は、図４に示すとおり端部に押え部６を形成しウオームホイール３の係合孔と合致する嵌着部７及び波板バネ８とその押え片９並びにＥリング１０を備えて行き過ぎ防止策としており、ウオームホイール３の左右には、ネジ棒４上を水平移動する移動ナット１１が対称的に配置されている。
【００２１】  前記のように左右の移動ナット１１は対称的に配置されているため各部の左右が逆向きとなるだけで構成部材・動き方は共通する。すなわち移動ナット１１はネジ棒４と螺合するナット主体１２と、該ナット主体１２の凸周面１３と係合し且つ底面がフラット状で端部に接点子１５を有するスイッチ板１４と、スイッチ板１４の押え板１６及びＥリング１７で構成され、押え板１６とＥリング１７によって移動ナット１１の手動的微調整が図られるようになっている。
【００２２】  前記スイッチ板１４は、ナット主体１２の凸周面１３に対し押しネジ１８で固定できるようになっている。押しネジ１８はスイッチ板１４が動作すると同時に止めるものであり、ナット主体１２がネジ棒４上を螺動する際には緩められているためスイッチ板１４は主体１２と連動して水平移動し、スイッチ板１４の底面はフラット状であるからナット主体１２が螺動するときには回転はしないがケーシング１の床面に沿ってスライド移動する。
【００２３】  そしてカーテンを所定の開又は閉位置のいずれかの個所でその状態を保持し続ける際に前記スイッチ板１４をマイクロスイッチ２０に接触させる位置で押しネジ１８を締め付けて固定する（図５参照）。固定されたスイッチ板１４はマイクロスイッチ２０に接触した位置で不動状となるため電源回路が開成されてウオームギア２とウオームホイール３のいずれもがその動きを停止し、したがってネジ棒４の回転も止むためカーテンの開又は閉位置は確実に保持される。
【００２４】  たとえば前記スイッチ板１４の接点子１５によってマイクロスイッチ２０がオンされカーテンが開いた状態であれば、マイクロスイッチ２０が働いている間はその開きは持続されるものであり、所定の時間が経過してカーテンを閉じる必要が生じたときには今度は反対位置にある移動ナット１１が逆回したウオームホイール３に連動して回転するネジ棒４上を反対方向に移動するように設定しておけばその移動ナット１１がマイクロスイッチ２０に近接し、前記と同様に接点子１５が働いて反対側のマイクロスイッチ２０が通電する。当然ながらこの時先に設定した移動ナット１１は、嵌合しているネジ棒４が回転するのみであるからその位置を移動することはない。
【００２５】  つまり一方の移動ナット１１によって開閉いずれかのマイクロスイッチ２０がオンとなればカーテンの停止位置が確定するものであり、また他方の移動ナット１１のスイッチ板１４により他方のマイクロスイッチ２０がオンとなればカーテンの開閉いずれかの停止位置が確定し、その際従来のようにギアの組み合わせによる素因数齟齬に基づくようなカーテンの開閉不具合すなわち閉まらなかったり開ききらないというような問題発生が起きることはない。
【００２６】  マイクロスイッチ２０は開閉用に左右１個づつあれば十分とはいえ、長期使用中には何らかの理由によって不具合若しくは故障の発生がないとは言えないので、夫々の個所に２個宛設けることによって（図６参照）不測の事態を回避できる。マイクロスイッチ２０はケーシングの狭小な空間に納まるものであるから図示のように上下に配置することが容易であり、しかもスイッチ板１４の接点子１５には何ら細工を施す必要もないので製作上特別な手間をかけないで済む。
【００２７】  図７の２１は左右のマイクロスイッチ２０の近傍に設けたＬＥＤライトであり、これらのライトはマイクロスイッチ２０がオンされたときに消灯し、オフされたときに点灯する仕組みとしてある。２つのＬＥＤライト２１は例えば片方を赤色、他方を青色として発光色を異なるようにして開閉いずれのカーテン停止位置でも容易に認識できる。開閉の設定が終われば当然ながらマイクロスイッチはオンされていてカーテンの開閉停止位置が確定するためネジ棒の動きも止むからである。なおＬＥＤライト２１の点滅はマイクロスイッチ２０のオンオフ回路によるが、色合いを相互に反対のものとすることもできる。
【符号の説明】
【００２８】１    ケーシング
２    ウオームギア
３    ウオームホイール
４    ネジ棒
５    仲介材
６    押え部
７    嵌着部
８    波板バネ
９    押え片
１０  Ｅリング
１１  移動ナット
１２  ナット主体
１３  凸周面
１４  スイッチ板
１５  接点子
１６  押え板
１７  Ｅリング
１８  押しネジ
２０  マイクロスイッチ
２１  ＬＥＤライト
３０  温室
３１  駆動ドラム
３２  カーテン
３３  開閉ワイヤー
【図１】
2016214223.tif 000003
【図２】
2016214223.tif 000004
【図３】
2016214223.tif 000005
【図４】
2016214223.tif 000006
【図５】
2016214223.tif 000007
【図６】
2016214223.tif 000008
【図７】
2016214223.tif 000009